(57)【要約】      （修正有）【課題】子供及びチャイルドシートの雨濡れを防止できるとともに子供の乗せ降ろしを容易にできる構成でありながら、シート全体をすっぽり被ったカバー内に子供の身体全体を入れる構成における子供が息苦しくなる等の問題点を解消することができるチャイルドシートカバーを提供する。【解決手段】自転車Ｂのチャイルドシートを被うカバー１であって、チャイルドシートに取り付ける取付手段を備えたカバー本体２の上部前面に開口を形成し、前記開口に添うように又は前記開口の近傍にフード３を設ける。さらに、フード３を前記開口内へ収容した状態又はフード３を折り畳んだ状態で、前記開口からカバー本体２内への雨滴の侵入を防止する蓋体４をカバー本体２に設け、カバー本体２の側面に下端縁から上方へ延びる側面スリットを形成するとともに、側面スリットを開閉する側面ファスナーを設ける。【選択図】図７
0003173035.tif 000002
【実用新案登録請求の範囲】
【請求項１】
自転車のチャイルドシートを被うカバーであって、
前記チャイルドシートに取り付ける取付手段を備えたカバー本体の上部前面に開口を形成し、前記開口に添うように又は前記開口の近傍にフードを設け、前記フードを前記開口内へ収容した状態又は前記フードを折り畳んだ状態で、前記開口から前記カバー本体内への雨滴の侵入を防止する蓋体を前記カバー本体に設け、前記カバー本体の側面に下端縁から上方へ延びる側面スリットを形成するとともに、前記側面スリットを開閉する側面ファスナーを設けてなることを特徴とするチャイルドシートカバー。
【請求項２】
前記開口の前部中央から下方へ延びる前面スリットを形成するとともに、前記前面スリットを開閉する前面ファスナーを設けてなる請求項１記載のチャイルドシートカバー。
【請求項３】
前記取付手段により前記チャイルドシートに取り付けられた状態で、前記側面スリットを開いて前記チャイルドシートの背面側へ移動させた、前記カバー本体、フード及び蓋体を前記チャイルドシートのヘッドレスト又は背もたれにより保持する保持手段を備えてなる請求項１又は２記載のチャイルドシートカバー。
【請求項４】
前記カバー本体の下端縁に伸縮性素材が装着された伸縮部を設けてなる請求項１〜３の何れか１項に記載のチャイルドシートカバー。
【請求項５】
前記チャイルドシートが前記自転車のリアキャリアに取り付けて使用するリアチャイルドシートであって、前記カバー本体を、前記自転車の駐車時にサドルを被うことができる大きさにしてなる請求項１〜４の何れか１項に記載のチャイルドシートカバー。
【考案の詳細な説明】
【技術分野】
【０００１】
本考案は、自転車のチャイルドシートを被うカバーに関わり、さらに詳しくは、チャイルドシートに子供を乗せた状態で雨濡れを防止するチャイルドシートカバーに関するものである。
【背景技術】
【０００２】
自転車に子供を乗せるためのチャイルドシートとして、より安定した状態で子供を乗せることができるヘッドレスト付きのハイバック式チャイルドシートの使用が増加しており、このようなハイバック式チャイルドシートに用いるカバーとして、シートに子供を乗せた状態で雨濡れを防止するようにシート及び子供をすっぽり被う形状とし、側面に設けたファスナーを開くことにより子供の乗せ降ろしをするものがある（例えば、特許文献１及び２参照。）。
【先行技術文献】
【特許文献】
【０００３】
【特許文献１】登録実用新案第３１６４５６０号公報
【特許文献２】登録実用新案第３１６４５３８号公報
【考案の概要】
【考案が解決しようとする課題】
【０００４】
特許文献１及び２のようなチャイルドシートカバーの考案は、子供にレインコートを着せた状態でチャイルドシートに乗せると、子供の顔、手及び靴並びにチャイルドシートが濡れること、並びに、レインコートの着脱の手間が掛かること等に着目してなされたものである。
したがって、シート全体をすっぽり被ったカバー内に子供の身体全体を入れるように構成して子供及びシートの雨濡れを防止するとともに、側面に設けたファスナーにより子供の乗せ降ろしを容易にしている。
【０００５】
しかしながら、子供及びシートの雨濡れを防止するためにシートとともに頭部を含めて子供の身体をすっぽり被っていることから、カバーの側面や前面にメッシュ状（ネット状）の通気孔を設けてはいるが、通気性の確保が十分ではない。
したがって、特に夏の暑い日には、頭部を含めて子供の身体をすっぽり被っているカバー内の温度が高くなりやすく、また、雨天の際に高湿度になるカバー内にいる子供が熱中症になる危険性があるとともに、息苦しさや蒸し暑さのために子供の気分が悪くなる場合がある。
【０００６】
そこで本考案が前述の状況に鑑み、解決しようとするところは、子供及びチャイルドシートの雨濡れを防止できるとともに子供の乗せ降ろしを容易にできる構成でありながら、シート全体をすっぽり被ったカバー内に子供の身体全体を入れる構成における子供が息苦しくなる等の問題点を解消することができるチャイルドシートカバーを提供する点にある。
【課題を解決するための手段】
【０００７】
本考案に係るチャイルドシートカバーは、前記課題解決のために、自転車のチャイルドシートを被うカバーであって、前記チャイルドシートに取り付ける取付手段を備えたカバー本体の上部前面に開口を形成し、前記開口に添うように又は前記開口の近傍にフードを設け、前記フードを前記開口内へ収容した状態又は前記フードを折り畳んだ状態で、前記開口から前記カバー本体内への雨滴の侵入を防止する蓋体を前記カバー本体に設け、前記カバー本体の側面に下端縁から上方へ延びる側面スリットを形成するとともに、前記側面スリットを開閉する側面ファスナーを設けてなることを特徴とする。
【０００８】
このような構成によれば、雨天の際には、取付手段により自転車のチャイルドシートに取り付けた状態で、蓋体を開けてフードを取り出し、側面ファスナーを操作して側面スリットを開け、子供をチャイルドシートに乗せてカバー本体の開口から頭部を出させてフードを被せ、側面ファスナーを操作して側面スリットを閉じることにより、チャイルドシートに子供を乗せて自転車を走行させる際における雨濡れを防止できる。
このようなチャイルドシートに子供を乗せた使用状態では、子供の頭部がカバー本体の開口から出ていることから、例えば夏の暑い日の雨天において、頭部を含めて子供の身体をすっぽりカバーで被う構成のように子供の頭部まわりの温度が上昇することがないため、熱中症になるリスクが小さくなるとともに、息苦しさや蒸し暑さのために子供の気分が悪くなることを抑制できる。
その上、チャイルドシートに子供を乗せていない使用状態又は駐車時では、カバー本体の開口に添うように又は開口の近傍に設けられたフードを開口内へ収容するか折り畳んだ状態で、蓋体により開口が被われて雨滴の侵入が防止されるため、チャイルドシートの雨濡れを防止できるとともに、フードが蓋体に被われて視認されないため、すっきりとした外観となる。
【０００９】
ここで、前記開口の前部中央から下方へ延びる前面スリットを形成するとともに、前記前面スリットを開閉する前面ファスナーを設けてなると好ましい。
このような構成によれば、前面ファスナーを操作して前面スリットを開けることにより、開口内へ収容した状態のフードを取り出す作業がしやすくなるとともに、子供の頭を開口から外へ出しやすくなるため、チャイルドシートにチャイルドシートカバーを装着した状態で子供を乗せてチャイルドシートカバーを被せる作業が容易になる。
【００１０】
また、前記取付手段により前記チャイルドシートに取り付けられた状態で、前記側面スリットを開いて前記チャイルドシートの背面側へ移動させた、前記カバー本体、フード及び蓋体を前記チャイルドシートのヘッドレスト又は背もたれにより保持する保持手段を備えてなると好ましい。
このような構成によれば、風雨除けをする必要がない場合に、カバー本体、フード及び蓋体をチャイルドシートの背面側へ移動させた状態として保持手段によりヘッドレスト又は背もたれにより保持しておくことにより、チャイルドシートに子供を乗せて自転車を走行させている際に雨が急に降ってきた場合に、保持手段を外してチャイルドシートの背面側にあるカバー本体、フード及び蓋体を正面側へ移動させることにより、子供の雨濡れを迅速に防止することができる。
【００１１】
さらに、前記カバー本体の下端縁に伸縮性素材が装着された伸縮部を設けてなると好ましい。
このような構成によれば、カバー本体下端縁の伸縮部を伸縮させながらカバー本体をチャイルドシートにフィットさせることができるため、子供の足部の雨濡れ防止がより確実になるとともに、風によるカバー本体の巻き上げを防止することができる。
【００１２】
さらにまた、前記チャイルドシートが前記自転車のリアキャリアに取り付けて使用するリアチャイルドシートであって、前記カバー本体を、前記自転車の駐車時にサドルを被うことができる大きさにしてなると好ましい。
このような構成によれば、駐車時において、リアチャイルドシートとともにサドルの雨濡れを防止することができる。
【考案の効果】
【００１３】
以上のように、本考案に係るチャイルドシートカバーによれば、側面ファスナーを操作して側面スリットを開閉することにより子供の乗せ降ろしを容易に行うことができ、チャイルドシートに子供を乗せて自転車を走行させる際における雨濡れを防止することができるとともに、チャイルドシートに子供を乗せた使用状態で子供の頭部が開口から出ていることから、熱中症になるリスクが小さくなるとともに、息苦しさや蒸し暑さのために子供の気分が悪くなることを抑制することができるという顕著な効果を奏する。
【図面の簡単な説明】
【００１４】
【図１】本考案の実施の形態に係るチャイルドシートカバーの正面図である。
【図２】同じく蓋体を開けた状態を示す正面図である。
【図３】同じくフードを出した状態を示す正面図である。
【図４】同じく背面図である。
【図５】本考案の実施の形態に係るチャイルドシートカバーを自転車のチャイルドシートに取り付けた状態を示す斜視図である。
【図６】同じくカバー本体によりサドルを被った状態を示す斜視図である。
【図７】チャイルドシートに子供を乗せて子供及びチャイルドシートをチャイルドシートカバーにより被った状態を示す斜視図である。
【図８】チャイルドシートにチャイルドシートカバーを装着した状態で子供を乗せてチャイルドシートカバーを被せる手順を示す斜視図であり、（ａ）は蓋体を少し開いた状態、（ｂ）は前面ファスナーを操作して前面スリットを開けた状態、（ｃ）はフードを取り出している状態、（ｄ）はフードを取り出した状態を示している。
【図９】同じく斜視図であり、（ａ）は側面ファスナーを操作して属面スリットを開けている状態、（ｂ）は側面ファスナーを全開して側面スリットを開け、カバー本体、フード及び蓋体をチャイルドシートの背面側へ移動させた状態、（ｃ）は子供をチャイルドシートに乗せてカバー本体等を正面側へ戻した状態、（ｄ）は子供にフードを被せた状態を示している。
【考案を実施するための形態】
【００１５】
次に本考案の実施の形態を添付図面に基づき詳細に説明するが、本考案は、添付図面に示された形態に限定されず実用新案登録請求の範囲に記載の要件を満たす実施形態の全てを含むものである。
本明細書においては、自転車に乗った状態で走行する方向を前方とし、左右は前方に向かっていうものとし、前方から見た図を正面図とする。
【００１６】
図１〜図３の正面図及び図４の背面図に示す本考案の実施の形態におけるチャイルドシートカバー（以下において、単に「カバー」ともいう。）１は、自転車のリアキャリア（後部荷台）に取り付けて使用する、例えばヘッドレスト付きのハイバック式チャイルドシート（以下において、単に「シート」ともいう。図９（ｂ）の符号Ｃ参照。）を被うものである。
カバー１は、シート全体を被うカバー本体２（図５の斜視図も参照。）、カバー本２の上部前面の開口Ａ（図２参照。）に添って取り付けられたフード３（図３参照。）、及び、フード３を開口Ａ内へ収容した状態（図２参照。）又はフード３を折り畳んだ状態で、開口Ａからカバー本体２内への雨滴の侵入を防止する蓋体であるフラップ４等からなり、例えばカバー本体２の背面内側に設けた取付手段である紐１１，１１（図４参照。）をシートＣのヘッドレストＤ（図９（ｂ）参照。）に縛り付けることによりシートＣに取り付けることができる。
【００１７】
なお、フード３は、開口Ａに添わせずに開口Ａの近傍に取り付けるものであってもよく、フード３及びフラップ４は、カバー本体２に一体的に設けられるものであってもよいし、着脱可能なものであってもよい。
また、取付手段は、紐１１，１１に限定されるものではなく、面ファスナー付きのベルト、スナップボタン付きのベルト又はバックル付きのベルト等であってもよく、シートＣのヘッドレストＤ以外の部分（例えば、背もたれＥ等。）に取り付けるものであってもよい。
【００１８】
図１〜図４に示すように、蓋体であるフラップ４は、カバー本体２の上端部から前面側へ垂れ下がる略矩形状のものであり、面ファスナー５Ａ，５Ｂ，…及び６Ａ，６Ｂ，…を掛止することにより、開口Ａを被った状態でカバー本体２に固定されるため（図１参照。）、開口Ａからカバー本体２内への雨滴の侵入が防止される。
また、図２に示すように、カバー本体２には、開口Ａの前部中央から下方へ延びる前面スリットＳ３が形成されており、前面スリットＳ３を開閉する前面ファスナー７が取り付けられ、スライダー７Ａを操作することにより前面ファスナー７（前面スリットＳ３）を開閉することができる。
さらに、カバー本体２には、前面ファスナー７を被うフラップ９が取り付けられており、スライダー７Ａを上端部まで移動させて前面ファスナー７を閉じた状態で、スナップボタン８，８，…によりフラップ９がカバー本体２に固定されるため、前面ファスナー７からカバー本体２内への雨滴の侵入が防止される。
【００１９】
さらに、図４に示すように、カバー本体２には、その側面（例えば、背面の左右）に下端縁から上方へ延びる側面スリットＳ１，Ｓ２が形成されており、側面スリットＳ１，Ｓ２を開閉する側面ファスナー１０，１０が取り付けられ、スライダー１０Ａ，１０Ａを操作することにより側面ファスナー１０，１０（側面スリットＳ１，Ｓ２）を開閉することができる。
図４における側面ファスナー１０，１０は、スライダー１０Ａ，１０Ａを下げることにより閉じて、スライダー１０Ａ，１０Ａを上げることにより開き、スライダー１０Ａ，１０Ａを最上端まで移動させることにより側面スリットＳ１，Ｓ２が全開するように、スライダー１０Ａ，１０Ａの本体の頭部を下向きにした例を示している。
なお、側面スリットＳ１，Ｓ２はどちらか一方のみとしてもよい。
さらにまた、カバー本体２の下端縁には、ゴム等の伸縮性素材が装着された伸縮部１２が略全周にわたって設けられる。
【００２０】
図５の斜視図のようにチャイルドシートカバー１を自転車Ｂのチャイルドシートに取り付けて子供を乗せていない状態では、シート全体がカバー１で被われ、駐車時には図６の斜視図のようにサドルＳも被うことができる。
また、図７の斜視図のように子供をシートに乗せた状態では、図２の開口Ａからフード３を取り出した図３の状態に相当し、子供の頭部を開口Ａから出した状態でその頭部がフード３で被われる。
【００２１】
次に、図５のように子供を乗せていない状態から図７のように子供を乗せた状態にするまでの手順の例について、図８及び図９の斜視図により説明する。
先ず、図５の状態から図８（ａ）のように蓋体であるフラップ４を開け、図８（ｂ）のようにスライダー７Ａを下げて前面ファスナー７を少し開け、図８（ｃ）及び（ｄ）のようにフード３を取り出す。
次に、図９（ａ）のように側面ファスナー１０のスライダー１０Ａを操作して側面スリットＳ１を開ける。なお、図９の例では、側面ファスナー１０が、スライダー１０Ａの本体の頭部を上向きにしてスライダー１０Ａを下げると側面ファスナー１０が開く場合、すなわちスライダー１０Ａを最下端にすると側面スリットＳ１が全開になる構成を示している。
同様にして、側面スリットＳ２（図４参照。）も開ける。
【００２２】
側面スリットＳ１，Ｓ２を全開にした後、図９（ｂ）のように、カバー本体２、フード３及びフラップ４をチャイルドシートＣの背面側（後面側）へ折り返すように移動させた状態にする。
この状態において子供をシートＣに乗せる作業は、カバー１が無い場合と同様であり、シートＣの背もたれＥに子供の背中を合わせるようにするとともに、足乗せＦ（図６も参照。）に子供の足を乗せるようにして、子供をシートＣに乗せてシートベルトを締める。
次に、図９（ｃ）のように、カバー本体２、フード３及びフラップ４を正面側（前面側）へ戻して子供に被せ、子供の頭を開口から出し、図９（ｄ）のようにフード３を子供の頭に被せ、左右の側面ファスナー１０，１０のスライダー１０Ａ，１０Ａを操作して左右の側面スリットＳ１，Ｓ２を閉じることにより図７に示す状態になる。
【００２３】
以上の説明においては、チャイルドシートカバー１を子供を後ろ乗せするためのリアチャイルドシートに用いる場合を示したが、本考案のチャイルドシートカバーは、子供を前乗せするためのフロントチャイルドシートに用いてもよい。
【００２４】
以上のようなチャイルドシートカバー１の構成によれば、雨天の際には、取付手段（例えば、紐１１，１１）により自転車ＢのチャイルドシートＣに取り付けた状態で、蓋体（例えば、フラップ４）を開けてフード３を取り出し、側面ファスナー１０，１０を操作して側面スリットＳ１，Ｓ２を開け、子供をチャイルドシートＣに乗せてカバー本体２の開口Ａから頭部を出させてフード３を被せ、側面ファスナー１０，１０を操作して側面スリットＳ１，Ｓ２を閉じることにより、チャイルドシートＣに子供を乗せて自転車Ｂを走行させる際における雨濡れを防止できる。
このようなチャイルドシートに子供を乗せた使用状態では、子供の頭部がカバー本体２の開口Ａから出ていることから、例えば夏の暑い日の雨天において、頭部を含めて子供の身体をすっぽりカバーで被う構成のように子供の頭部まわりの温度が上昇することがないため、熱中症になるリスクが小さくなるとともに、息苦しさや蒸し暑さのために子供の気分が悪くなることを抑制できる。
【００２５】
また、チャイルドシートＣに子供を乗せていない使用状態又は駐車時では、カバー本体２の開口Ａに添うように又は開口Ａの近傍に設けられたフード３を開口Ａ内へ収容するか折り畳んだ状態で、蓋体（例えば、フラップ４）により開口Ａが被われて雨滴の侵入が防止されるため、チャイルドシートＣの雨濡れを防止できるとともに、フード３が蓋体に被われて視認されないため、すっきりとした外観となる。
さらに、開口Ａの前部中央から下方へ延びる前面スリットＳ３が形成され、前面スリットＳ３を開閉する前面ファスナー７が設けられているので、前面ファスナー７を操作して前面スリットＳ３を開けることにより、開口Ａ内へ収容した状態のフード３を取り出す作業がしやすくなるとともに、子供の頭を開口Ａから外へ出しやすくなるため、チャイルドシートＣにチャイルドシートカバー１を装着した状態で子供を乗せてチャイルドシートカバー１を被せる作業が容易になる。
【００２６】
さらにまた、図９（ｂ）のように側面スリットＳ１，Ｓ２を開いてカバー本体２、フード３及び蓋体４をチャイルドシートＣの背面側へ移動させた状態とし、この状態のカバー本体２，フード３及び蓋体４をチャイルドシートＣのヘッドレストＤ又は背もたれＥにより保持する保持手段を備えることにより、風雨除けをする必要がない場合に、カバー本体２、フード３及び蓋体４をチャイルドシートＣの背面側へ移動させた状態としてヘッドレストＤ又は背もたれＥにより保持しておくことができる。
このようにしておくことにより、チャイルドシートＣに子供を乗せて自転車Ｂを走行させている際に雨が急に降ってきた場合に、保持手段を外してチャイルドシートＣの背面側にあるカバー本体２、フード３及び蓋体３を正面側へ移動させて、上述の図９（ｃ）、図９（ｄ）の手順により、図７のように子供をチャイルドシートカバー１により被った状態に迅速にすることができるため、子供の雨濡れを迅速に防止することができる。
なお、保持手段としては、チャイルドシートＣの背面側へ移動させたカバー本体２、フード３及び蓋体４を折り畳んだもの若しくはロール状に巻いたもの又はこれらを袋に収容したものを、チャイルドシートＣのヘッドレストＤ又は背もたれＥにより保持するクリップ、ベルト又はフック等を用いることができる。
【００２７】
また、カバー本体２の下端縁に伸縮性素材が装着された伸縮部１２が設けられているため、伸縮部１２を伸縮させながらカバー本体２をチャイルドシートＣにフィットさせることができるため、子供の足部の雨濡れ防止がより確実になるとともに、風によるカバー本体２の巻き上げを防止することができる。
さらに、チャイルドシートＣが自転車Ｂのリアキャリア（後部荷台）に取り付けて使用するリアチャイルドシートであり、図６のようにカバー本体２を、自転車Ｂの駐車時にサドルＳを被うことができる大きさにすることにより、駐車時において、リアチャイルドシートとともにサドルＳの雨濡れを防止することができる。
【符号の説明】
【００２８】
Ａ  開口
Ｂ  自転車
Ｃ  チャイルドシート
Ｄ  ヘッドレスト
Ｅ  背もたれ
Ｆ  足乗せ
Ｓ  サドル
Ｓ１，Ｓ２  側面スリット
Ｓ３  前面スリット
１  リアチャイルドシートカバー
２  カバー本体
３  フード
４  フラップ（蓋体）
５Ａ，５Ｂ，６Ａ，６Ｂ  面ファスナー
７  前面ファスナー
７Ａ  スライダー
８  スナップボタン
９  フラップ
１０  側面ファスナー
１０Ａ  スライダー
１１  紐（取付手段）
１２  伸縮部
【図１】
0003173035.tif 000003
【図２】
0003173035.tif 000004
【図３】
0003173035.tif 000005
【図４】
0003173035.tif 000006
【図５】
0003173035.tif 000007
【図６】
0003173035.tif 000008
【図７】
0003173035.tif 000009
【図８】
0003173035.tif 000010
【図９】
0003173035.tif 000011